(57)【要約】      （修正有）【課題】ワインボトルとワイングラスを一緒に陳列し収納することができるワイン、ワイングラスラックを提供する。【解決手段】相互に平行をなす上部四辺形１，２の２枚の上部四辺形板にワインボトルの首部を支持する凹部と本体部を支持する凹部とを平行に設け、上部四辺形板を支える中央部にワイングラスのステム部分がスライド可能な溝幅を形成するワイングラスのフット部係留用板５，６，７の３枚の板を用いて設け、中央部にワイングラスのフット部分を吊るして保持させるため、中央部のワイングラスのフット部係留用板の３枚の板に、ワイングラスのフット部分が挿入可能な形状、および、大きさの孔を設け、板７の下部に、幕板８を設け折りたたみ自在な脚９を設け、幕板に貫１１を固定し、貫を外すことで折り畳み状態にできるワイン、ワイングラスラック。【選択図】図１
2015116454.tif 000002
【特許請求の範囲】
【請求項１】
本発明のワイン、ワイングラスラックは、相互に平行をなす上部四辺形の２枚の上部四辺形板ａ（１）、上部四辺形板ｂ（２）の上辺部にワインボトルＷ（１２）のワインボトルの首部を支持する凹部（３）と本体部を支持する凹部（４）とを平行に設け、上部四辺形板ａ（１）、上部四辺形板ｂ（２）を支える中央部にワイングラスｇ（１３）のステム部分がスライド可能な溝幅を形成するワイングラスｇのフット部係留用板（５）、ワイングラスｇのフット部係留用板（６）、ワイングラスｇのフット部係留用板（７）の３枚の板を用いて設け、中央部に割れやすく不安定な形状のワイングラスｇのフット部分を吊るして保持させるため、中央部のワイングラスｇのフット部係留用板（５）、ワイングラスｇのフット部係留用板（６）、ワイングラスｇのフット部係留用板（７）の３枚の板に、ワイングラスｇ（１３）のフット部分が挿入可能な形状、および、大きさの孔を設け、板７の下部に、幕板（８）を設け折りたたみ自在な脚（９）を設け、幕板（１０）に貫（１１）を固定し、貫（１１）を外すことで折り畳み状態にできることを特徴とするワイン、ワイングラスラック。
【発明の詳細な説明】
【技術分野】
【０００１】  本発明は、ワインボトルとワイングラスを一緒に陳列し収納することができるワイン、ワイングラスラックに関するものである。
【背景技術】
【０００２】  従来、ワインラックとワイングラスラックは、それぞれ単独の製品であった。
通常ワイングラスラックはキッチンの高所に設置されており、持ち運びができなかった。
従来、使用しないときは、折り畳んで保管したり、運搬できるようにした瓶用ラックが提案されている。（先行技術文献１参照）
従来、使わないときは、かさばらない形態をとることができて、運送や保管に極めて便利な組立式ワインラックが提案されている。（先行技術文献２参照）
【先行技術文献】
【特許文献】
【０００３】
【先行技術文献１】
特開２０００−１５７３５５号公報
【先行技術文献２】
登録実用新案第３０８７４７９号公報
【発明の概要】
【発明が解決しようとする課題】
【０００４】  そのために次のような問題点があった。
従来のワインラックとワイングラスラックは、それぞれ単独だったので、保管が大変であった。
通常、ワイングラスラックは、キッチンの高所に設置されており、持ち運びができなかった。
【課題を解決するための手段】
【０００５】  本発明のワイン、ワイングラスラックは、相互に平行をなす上部四辺形の２枚の上部四辺形板ａ（１）、上部四辺形板ｂ（２）の上辺部にワインボトルＷ（１２）のワインボトルの首部を支持する凹部（３）と本体部を支持する凹部（４）とを平行に設け、上部四辺形板ａ（１）、上部四辺形板ｂ（２）を支える中央部にワイングラスｇ（１３）のステム部分がスライド可能な溝幅を形成するワイングラスｇのフット部係留用板（５）、ワイングラスｇのフット部係留用板（６）、ワイングラスｇのフット部係留用板（７）の３枚の板を用いて設け、中央部に割れやすく不安定な形状のワイングラスｇのフット部分を吊るして保持させるため、中央部のワイングラスｇのフット部係留用板（５）、ワイングラスｇのフット部係留用板（６）、ワイングラスｇのフット部係留用板（７）の３枚の板に、ワイングラスｇ（１３）のフット部分が挿入可能な形状、および、大きさの孔を設け、板７の下部に、幕板（８）を設け折りたたみ自在な脚（９）を設け、幕板（１０）に貫（１１）を固定し、貫（１１）を外すことで折り畳み状態にできることを特徴とするワイン、ワイングラスラック。
【発明の効果】
【０００６】  割れ物であるワインボトルとワイングラスを一緒に陳列し収納することができる。
ワイン、ワイングラスラックはコンパクトな卓上サイズの折りたたみ式で
あるため、パーティ等のイベントにも持参できる。
卓上サイズのワイン、ワイングラスラックの上部にワインボトルを横に置き、中央部に割れやすく不安定な形状のワイングラスを吊すことで、重心を安定させ安全に陳列収納させることが可能になる。
本発明は、ワイングラスとワインボトルを一緒に陳列収納し、持ち運び可能な卓上サイズのコンパクトな形状のワイン、ワイングラスラックを提供できる。
【発明を実施するための形態】
【０００７】  以下、本発明のワイン、ワイングラスラックの実施の形態を図面にもとづいて説明する。
図１は、本発明のワインラックの斜視図である。
図２は、本発明のワインラックを折り畳んだ状態を示した斜視図である。
図３は、本発明のワインラックの折り畳んだ状態を示した斜視図である。
図４は、本発明のワインラックの使用状態を示した斜視図である。
これらの発明の実施の形態は、本発明の一実施の形態を示したものである。
本発明のワイン、ワイングラスラックは、図１に示すよう、相互に平行にした上部四辺形の２枚の上部四辺形板ａ（１）、上部四辺形板ｂ（２）の上辺部にワインボトルＷ（１２）のワインボトルの首部を支持する凹部（３）と本体部を支持する凹部（４）とを平行に設ける。
上部四辺形板ａ（１）、上部四辺形板ｂ（２）を支える中央部にワイングラスｇ（１３）のステム部分がスライド可能な溝幅を形成するワイングラスｇのフット部係留用板（５）、ワイングラスｇのフット部係留用板（６）、ワイングラスｇのフット部係留用板（７）の３枚の板を用いて設ける。
中央部に割れやすく不安定な形状のワイングラスｇのフット部分を吊るして保持させるため、中央部のワイングラスｇのフット部係留用板（５）、ワイングラスｇのフット部係留用板（６）、ワイングラスｇのフット部係留用板（７）の３枚の板に、ワイングラスｇ（１３）のフット部分が挿入可能な形状、および、大きさの孔を設ける。
板７の下部に、幕板（８）を設け折りたたみ自在な脚（９）を設け、幕板（１０）に貫（１１）を固定する。
図４に示したように、使用状態とし、貫（１１）を外すことで、図２、３に示した折り畳み状態にできることを特徴とするワイン、ワイングラスラック。
本発明を使用するときは、卓上サイズのワイン、ワイングラスラックの上部にワインボトルを横に置き、中央部に割れやすく不安定な形状のワイングラスを吊すことで、重心を安定させ安全に陳列収納させることが可能である。
図に示した上部の半円の窪みにワインボトルの頭部と底部を合わせ、横に寝かせて陳列し収納する。
右の孔からワイングラスの底部を入れ、溝に沿ってスライドし中央部に陳列し収納する。
【図面の簡単な説明】
【０００８】
【図１】  本発明のワインラックの斜視図である。
【図２】  本発明のワインラックを折り畳んだ状態を示した斜視図である。
【図３】  本発明のワインラックの折り畳んだ状態を示した斜視図である。
【図４】  本発明のワインラックの使用状態を示した斜視図である。
【符号の説明】
【０００９】１  上部四辺形板ａ
２  上部四辺形板ｂ
３  ボトル首部係留凹部
４  ボトル本体係留凹部
５  ワイングラスｇのフット部係留用板
６  ワイングラスｇのフット部係留用板
７  ワイングラスｇのフット部係留用板
８  幕板
９  脚
１０  幕板
１１  貫
１２  ワインボトルｗ
１３  ワイングラスｇ
【図１】
2015116454.tif 000003
【図２】
2015116454.tif 000004
【図３】
2015116454.tif 000005
【図４】
2015116454.tif 000006